(57)【要約】【課題】紙片等を貼り付けるのに適切な、上製本の本を提供する。【解決手段】  上製本用表紙と、上製本用本文と、互いに圧着可能な複数の圧着シートと、板状の物体とを準備する準備工程と、第１の圧着シートと、第２の圧着シートとを圧着することにより、貼合シートを形成する圧着工程と、板状の物体の背を第１の圧着シートに対して固定することにより、第１の圧着シートを内側にして、貼合シートで板状の物体を覆う第１固定工程と、貼合シートに覆われた板状の物体と、上製本用本文とを、背の位置を合わせて重ねて固定する第２固定工程と、上製本用本文と板状の物体とが重ねられた状態で、上製本用本文及び板状の物体を裁断する裁断工程と、上製本用本文と板状の物体とが重ねられた状態で、上製本用本文及び板状の物体を挟むようにして、上製本用本文に上製本用表紙を取り付ける上製本表紙取り付け工程とを備える。【選択図】図１
2005161725.tif 000002
【特許請求の範囲】
【請求項１】
上製本の製本様式により本を製本する製本方法であって、
上製本の製本に用いられる上製本用表紙と、前記上製本用表紙の背の幅よりも小さな厚みを有する上製本用本文と、互いに圧着可能な複数の圧着シートと、板状の物体とを準備する準備工程と、
第１の前記圧着シートと、第２の前記圧着シートとを圧着することにより、前記第１の圧着シートと前記第２の圧着シートとを貼り合わせた貼合シートを形成する圧着工程と、
前記板状の物体の背を前記第１の圧着シートに対して固定することにより、前記第１の圧着シートを内側にして、前記貼合シートで前記板状の物体を覆う第１固定工程と、
前記貼合シートに覆われた前記板状の物体と、前記上製本用本文とを、背の位置を合わせて重ね、前記上製本用本文を、前記第２の圧着シートに対して固定する第２固定工程と、
前記上製本用本文と前記板状の物体とが重ねられた状態で、前記上製本用本文及び前記板状の物体を裁断する裁断工程と、
前記上製本用本文と前記板状の物体とが重ねられた状態で、前記上製本用本文及び前記板状の物体を挟むようにして、前記上製本用本文に前記上製本用表紙を取り付ける上製本表紙取り付け工程と
を備える製本方法。
【請求項２】
前記第２の圧着シートから前記第１の圧着シートを剥離させることにより、前記第１の圧着シートとともに、前記板状の物体を、前記上製本用本文から分離させる剥離工程を更に備える請求項１に記載の製本方法。
【請求項３】
前記板状の物体は、並製本の製本に用いられる並製本用本文であり、
前記第１固定工程は、並製本の製本様式により、前記貼合シートを、前記並製本用本文に、表紙として取り付ける請求項１に記載の製本方法。
【請求項４】
前記第２固定工程は、前記上製本用本文の背から、前記並製本用本文に取り付けられた前記貼合シートの背に渡って接着剤を塗布することにより、前記上製本用本文の背を、前記貼合シートの背に対して固定する請求項３に記載の製本方法。
【請求項５】
前記上製本表紙取り付け工程は、前記貼合シートにおける前記第２の圧着シートの一部を、見返しのきき紙として前記上製本用表紙に貼り付けることにより、前記上製本用本文に前記上製本用表紙を取り付ける請求項１に記載の製本方法。
【請求項６】
前記第１及び第２の圧着シートの少なくとも一方の圧着シートは、
他の圧着シートに対して圧着可能な圧着層と、
前記圧着層を保持する台紙と
を有し、
前記少なくとも一方の前記圧着シートにおいて、前記圧着層は、前記台紙の一方の面における、一部の領域を除いた領域に形成されている請求項１に記載の製本方法。
【請求項７】
前記少なくとも一方の圧着シートは、前記台紙の一方の面における、少なくとも前記一部の領域を含む領域に対するコーティング処理により形成されたコーティング層を更に有する請求項６に記載の製本方法。
【請求項８】
上製本の製本様式により製本された本であって、
上製本の製本に用いられる上製本用表紙と、
前記上製本用表紙の背の幅よりも小さな厚みを有しており、前記上製本用表紙の背の裏側において、幅方向の一部の領域に固定されている上製本用本文と、
少なくとも一方の面に圧着層が形成された圧着シートであって、天地方向の高さが前記上製本用本文と同じになるように裁断されており、前記圧着層が形成されている面を前記上製本用表紙と前記上製本用本文との間の隙間に向けて、前記上製本用表紙又は前記上製本用本文の少なくとも一方に貼り付けられた圧着シートと
を備える本。
【請求項９】
前記圧着シートは、圧着していた他の圧着シートから剥離された圧着シートである請求項８に記載の本。
【請求項１０】
前記圧着シートの一部は、見返しのきき紙として、前記上製本用表紙に貼り付けられている請求項８に記載の本。
【発明の詳細な説明】
【技術分野】
【０００１】
本発明は、製本方法及び本に関する。
【背景技術】
【０００２】
従来、上製本の製本様式が知られている（例えば、非特許文献１参照。）。上製本の製本様式においては、本文の天地及び小口を裁断（三方裁ち）して切りそろえた後に、表紙が取り付けられる。
【非特許文献１】広辞苑  第五版  ＣＤ−ＲＯＭ版、株式会社  岩波書店
【発明の開示】
【発明が解決しようとする課題】
【０００３】
上製本の本の表紙は、例えばボール紙の芯紙等を入れることにより、折り曲がらないように形成される。そのため、上製本の本においては、例えば本文中に他の紙片等を貼り付けた場合、表紙を適切に閉じるのが困難になる場合があった。そのため、従来、本文中に他の紙片等を貼り付けるのに適切な、上製本の本を提供するのは困難であった。
【０００４】
そこで本発明は、上記の課題を解決することができる製本方法及び本を提供することを目的とする。この目的は特許請求の範囲における独立項に記載の特徴の組み合わせにより達成される。また従属項は本発明の更なる有利な具体例を規定する。
【課題を解決するための手段】
【０００５】
上記課題を解決するために、本発明の第１の形態においては、上製本の製本様式により本を製本する製本方法であって、上製本の製本に用いられる上製本用表紙と、上製本用表紙の背の幅よりも小さな厚みを有する上製本用本文と、互いに圧着可能な複数の圧着シートと、板状の物体とを準備する準備工程と、第１の圧着シートと、第２の圧着シートとを圧着することにより、第１の圧着シートと第２の圧着シートとを貼り合わせた貼合シートを形成する圧着工程と、板状の物体の背を第１の圧着シートに対して固定することにより、第１の圧着シートを内側にして、貼合シートで板状の物体を覆う第１固定工程と、貼合シートに覆われた板状の物体と、上製本用本文とを、背の位置を合わせて重ね、上製本用本文を、第２の圧着シートに対して固定する第２固定工程と、上製本用本文と板状の物体とが重ねられた状態で、上製本用本文及び板状の物体を裁断する裁断工程と、上製本用本文と板状の物体とが重ねられた状態で、上製本用本文及び板状の物体を挟むようにして、上製本用本文に上製本用表紙を取り付ける上製本表紙取り付け工程とを備える。
【０００６】
また、第２の圧着シートから第１の圧着シートを剥離させることにより、第１の圧着シートとともに、板状の物体を、上製本用本文から分離させる剥離工程を更に備えてもよい。また、板状の物体は、並製本の製本に用いられる並製本用本文であり、第１固定工程は、並製本の製本様式により、貼合シートを、並製本用本文に、表紙として取り付けてもよい。
【０００７】
また、第２固定工程は、上製本用本文の背から、並製本用本文に取り付けられた貼合シートの背に渡って接着剤を塗布することにより、上製本用本文の背を、貼合シートの背に対して固定してもよい。また、上製本表紙取り付け工程は、貼合シートにおける第２の圧着シートの一部を、見返しのきき紙として上製本用表紙に貼り付けることにより、上製本用本文に上製本用表紙を取り付けてもよい。
【０００８】
また、第１及び第２の圧着シートの少なくとも一方の圧着シートは、他の圧着シートに対して圧着可能な圧着層と、圧着層を保持する台紙とを有し、少なくとも一方の圧着シートにおいて、圧着層は、台紙の一方の面における、一部の領域を除いた領域に形成されていてもよい。また、少なくとも一方の圧着シートは、台紙の一方の面における、少なくとも一部の領域を含む領域に対するコーティング処理により形成されたコーティング層を更に有してもよい。
本発明の第２の形態においては、上製本の製本様式により製本された本であって、上製本の製本に用いられる上製本用表紙と、上製本用表紙の背の幅よりも小さな厚みを有しており、上製本用表紙の背の裏側において、幅方向の一部の領域に固定されている上製本用本文と、少なくとも一方の面に圧着層が形成された圧着シートであって、天地方向の高さが上製本用本文と同じになるように裁断されており、圧着層が形成されている面を上製本用表紙と上製本用本文との間の隙間に向けて、上製本用表紙又は上製本用本文の少なくとも一方に貼り付けられた圧着シートとを備える。
【０００９】
また、圧着シートは、圧着していた他の圧着シートから剥離された圧着シートであってもよい。また、圧着シートの一部は、見返しのきき紙として、上製本用表紙に貼り付けられていてもよい。
【００１０】
なお、上記の発明の概要は、本発明の必要な特徴の全てを列挙したものではなく、これらの特徴群のサブコンビネーションもまた、発明となりうる。
【発明を実施するための最良の形態】
【００１１】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００１２】
図１及び図２は、本発明の一実施形態に係る親本１００の構成の一例を、複数の子供本１０６ａ、ｂと共に示す。図１は、閉じた状態の親本１００を、親本１００の天から見た図である。図２は、一方の見返し１１２を開いた状態の親本１００を示す図である。本例において、親本１００は、上製本の製本様式により製本された本である。本例は、本文中に他の紙片等を貼り付けるのに適切な、上製本の本を提供することを目的とする。
【００１３】
尚、子供本１０６ａ、ｂは、並製本の製本様式で製本された本であり、並製本用表紙４０４及び並製本用本文４０６を有する。子供本１０６ａ、ｂは、例えばメモ帳や別冊の本であってよい。
【００１４】
親本１００は、上製本用表紙１０２、上製本用本文１０４、固定部１１４、及び見返し１１２を備える。上製本用表紙１０２は、親本１００の外側を覆う表紙である。上製本用表紙１０２は、上製本の製本に用いられる表紙であり、例えばボール紙の芯紙等を入れることにより、背２０２及び側面２０４が折り曲がらないように形成される。
【００１５】
上製本用本文１０４は、親本１００の本文であり、上製本用表紙１０２の背２０２の裏側において、固定部１１４により固定される。また、本例において、上製本用本文１０４は、背２０２の幅よりも小さな厚みを有している。そのため、上製本用本文１０４は、上製本用表紙１０２の側面２０４との間に隙間を開けて、上製本用表紙１０２の背２０２における幅方向の一部の領域に固定される。固定部１１４は、上製本用表紙１０２の背２０２とほぼ同じ幅を有する接着層であり、背２０２の裏側において、上製本用本文１０４の背３０２と、見返し１１２の一部とを接着する。
【００１６】
見返し１１２は、きき紙１１０及び遊び１０８を有する。きき紙１１０は、見返し１１２のうちの、上製本用表紙１０２に貼り付けられている部分であり、見返し１１２を、上製本用表紙１０２に対して固定する。遊び１０８は、見返し１１２のうちの、上製本用表紙１０２に貼り付けられていない部分である。
【００１７】
本例において、遊び１０８は、背面部１１６を有する。背面部１１６は、上製本用表紙１０２の背２０２の裏側において、きき紙１１０の端から上製本用本文１０４の背３０２の端に渡り、固定部１１４に接着されている。これにより、背面部１１６は、上製本用本文１０４の背３０２を、きき紙１１０に対して固定する。そのため、本例によれば、上製本用表紙１０２の背２０２の幅よりも小さな厚みを有する上製本用本文１０４を、上製本用表紙１０２に、適切に固定することができる。
【００１８】
また、例えば製本された直後において、親本１００は、複数の子供本１０６ａ、ｂを、きき紙１１０と遊び１０８との間に挟むようにして保持する。この場合、背面部１１６は、子供本１０６の背４０２を当接する。そのため、子供本１０６を取り外した状態において、親本１００は、上製本用本文１０４と上製本用表紙１０２の側面２０４との間に、隙間を有する。この場合、例えば上製本用本文１０４のページに他の紙片等を貼り付けたとしても、上製本用表紙１０２を、適切に閉じることができる。そのため、本例によれば、上製本用表紙１０２と上製本用本文１０４との間に隙間がある親本１００を提供できる。また、これにより、上製本用本文１０４中に他の紙片等を貼り付けるのに適切な、上製本の本を提供することができる。親本１００は、例えば研究用ノートやアルバム等の、後から物を貼り付ける本であってよい。
【００１９】
尚、親本１００が研究用ノート等である場合、子供本１０６ａ、ｂは、例えば、データシートであってよい。この場合、子供本１０６ａ、ｂのページには、上製本用本文１０４に貼り付けるためのデータが書き込まれる。また、この場合、子供本１０６ａ、ｂのページは、切り抜きのためのミシン目を有するのが好ましい。ミシン目に沿って切り抜かれる部分は、上製本用本文１０４のページに貼り付けるのに適した大きさであるのが好ましい。この場合、データを記録した子供本１０６ａ、ｂのページを、適切に切り抜いて、上製本用本文１０４に貼り付けることができる。
【００２０】
以下、見返し１１２及び並製本用表紙４０４について、更に詳しく説明する。本例において、見返し１１２及び並製本用表紙４０４は、互いに圧着可能な圧着シートである。この圧着シートは、他の圧着シートに対して圧着可能な圧着層が、一方の面に形成されている。
【００２１】
見返し１１２は、拡大図７０２に示すように、台紙２１２、コーティング層２１４、及び圧着層２１６を有する。そして、見返し１１２の一部は、台紙２１２と、上製本用表紙１０２とが接触するように、きき紙１１０として、上製本用表紙１０２に貼り付けられる。
【００２２】
コーティング層２１４は、台紙２１２の表面を保護するための層であり、台紙２１２を挟んで上製本用表紙１０２と対向するように、台紙２１２上に、コーティング処理により形成される。本例において、コーティング層２１４は、例えばポリプロピレンによるラミネート加工により、台紙２１２における一方の面の全体に形成される。他の例において、コーティング層２１４は、エンドレスプレス加工、ニス加工等のコーティング加工により、形成されてもよい。圧着層２１６は、例えば熱圧着フィルムの層であり、コーティング層２１４を挟んで台紙２１２と対向するように、コーティング層２１４上に、圧着面を外側に向けて形成される。
【００２３】
並製本用表紙４０４は、拡大図７０４に示すように、台紙４１２、コーティング層４１４、及び圧着層４１６を有する。台紙４１２は、並製本の製本様式で表紙に用いられる用紙であり、並製本用本文４０６を覆う。コーティング層４１４は、台紙４１２を挟んで並製本用本文４０６と対向するように、台紙４１２の外側の面に形成される。圧着層４１６は、コーティング層４１４を挟んで台紙４１２と対向するように、コーティング層４１４層上に、圧着面を外側に向けて形成される。コーティング層４１４及び圧着層４１６は、コーティング層２１４、及び圧着層２１６と同一、又は同様の素材により形成されてよい。
【００２４】
本例において、見返し１１２は、製本の途中工程において並製本用表紙４０４に圧着される。この場合、上製本用本文１０４に対し、子供本１０６を適切に固定することができる。また、これにより、子供本１０６と上製本用本文１０４とを重ねた状態で、製本の工程を行うことができる。そのため、本例によれば、親本１００を製本する工程を、効率よく行うことができる。また、見返し１１２は、製本の最終工程までの間に、並製本用表紙４０４から剥がされる。
【００２５】
図３は、親本１００及び子供本１０６ａ、ｂを製本する製本方法の一例を示すフローチャートである。本例の製本方法は、上製本の製本様式により、親本１００を製本する。
【００２６】
本例においては、最初の工程において、上製本用表紙１０２、上製本用本文１０４、複数の圧着シート、及び並製本用本文４０６を準備する（Ｓ１０２）。ここで、複数の圧着シートは、見返し１１２、及び並製本用表紙４０４に用いられる。また、並製本用本文４０６は、板状の物体の一例である。他の例においては、板状の物体として、例えば段ボール等により形成された板状体を用いてもよい。
【００２７】
そして、次の工程において、並製本用表紙４０４用の圧着シートと、見返し１１２用の圧着シートとを圧着する（Ｓ１０４）。これにより、本工程は、これらの圧着シートとを貼り合わせた貼合シートを形成する。
【００２８】
そして、次の工程において、並製本用表紙４０４用の圧着シートを内側にした貼合シートを、並製本の製本様式により、並製本用本文４０６に、表紙として取り付け、子供本１０６を製本する（Ｓ１０６）。これにより、本工程は、並製本用表紙４０４用の圧着シートを、並製本用本文４０６に取り付ける。
【００２９】
そして、次の工程において、貼合シートに覆われた並製本用本文４０６と、上製本用本文１０４とを、背の位置を合わせて重ね、固定する（Ｓ１０８）。これにより、本工程は、貼合シートにおける見返し１１２用の圧着シートに対して、上製本用本文１０４を固定する。また、この場合、上製本用本文１０４及び並製本用本文４０６の両方が貼合シートに固定されるため、並製本用本文４０６は、上製本用本文１０４に重ねられた状態で、上製本用本文１０４に固定される。尚、貼合シートの背とは、例えば、貼合シートにおける、並製本用本文４０６の背を覆う部分である。
【００３０】
そして、次の工程において、上製本用本文１０４と並製本用本文４０６とが重ねられた状態で、上製本用本文１０４及び並製本用本文４０６を、三方断ちにより、裁断する（Ｓ１１０）。ここで、三方断ちとは、上製本用本文１０４の天、地、及び小口を同時に裁断する裁断方法である。これにより、本工程は、上製本用本文１０４、並製本用本文４０６、及び貼合シートの天地方向の高さと、背から小口までの長さとを揃える。尚、他の例において、並製本用本文４０６以外の板状の物体を用いる場合、この板状の物体は、上製本用本文１０４と共に裁断可能であるのが好ましい。
【００３１】
そして、次の工程において、上製本用本文１０４に上製本用表紙１０２を取り付ける（Ｓ１１２）。この場合、上製本用表紙１０２は、上製本用本文１０４と並製本用本文４０６とが重ねられた状態で、上製本用本文１０４及び並製本用本文４０６を挟むようにして、上製本用本文１０４に取り付けられる。
【００３２】
また、本工程において、貼合シートの一部は、上製本用表紙１０２に貼り付けられる。この場合、貼合シートにおける見返し１１２用の圧着シートの一部が、きき紙１１０として、上製本用表紙１０２に貼り付けられる。これにより、上製本用表紙１０２は、上製本用本文１０４に対して固定される。
【００３３】
そして、次の工程において、見返し１１２用の圧着シートから並製本用表紙４０４用の圧着シートを剥離させる（Ｓ１１４）。これにより、並製本用表紙４０４用の圧着シートとともに、並製本用本文４０６を、上製本用本文１０４から分離させる。
【００３４】
また、これにより、本工程は、子供本１０６ａ、ｂを、親本１００から取り外す。この場合、圧着していた並製本用表紙４０４用の圧着シートから剥離された見返し１１２用の圧着シートは、見返し１１２となる。また、見返し１１２用の圧着シートから剥離された並製本用表紙４０４用の圧着シートは、並製本用表紙４０４となる。以上により、親本１００が製本される。
【００３５】
尚、完成した親本１００において、見返し１１２は、圧着層２１６が形成されている面を上製本用表紙１０２と上製本用本文１０４との間の隙間に向けて、上製本用表紙１０２に貼り付けられている。また、見返し１１２は、工程Ｓ１１０において、天地方向の高さが上製本用本文１０４と同じになるように裁断されている。
【００３６】
ここで、上製本の製本方法においては、上製本用本文１０４の紙面よりも一回り大きな上製本用表紙１０２が用いられる。また、上製本用表紙１０２は、上製本用本文１０４を裁断した後に取り付けられる。
【００３７】
そのため、上製本用本文１０４の厚みが上製本用表紙１０２の背２０２よりも小さな場合には、上製本用表紙１０２を取り付ける工程において、例えば上製本用表紙１０２の側面２０４の位置が定まらないことにより、上製本用表紙１０２を適切に取り付けられない場合も考えられる。
【００３８】
しかし、本例の製本方法においては、板状の物体である並製本用本文４０６を挟むことにより、上製本用表紙１０２の側面２０４を、適切な位置に保持することができる。そのため、本例によれば、上製本用表紙１０２と上製本用本文１０４との間に隙間を有する親本１００を、適切に製本することができる。また、これにより、上製本用本文１０４中に他の紙片等を貼り付けるのに適切な、上製本の本を提供することができる。
【００３９】
尚、子供本１０６の個数は、上製本用本文１０４と子供本１０６とを重ねた厚さが、上製本用表紙１０２の背２０２の幅とほぼ同じになる個数であればよい。そのため、他の例においては、親本１００を、１個、又は３個以上の子供本１０６を用いて製本してもよい。また、他の例において、親本１００は、複数の上製本用本文１０４を備えてもよい。この場合、工程Ｓ１０８において、少なくとも１個の子供本１０６が、複数の上製本用本文１０４の間に固定される。
【００４０】
図４は、貼合シート５０２の一例を示す。貼合シート５０２は、図３を用いて説明した工程Ｓ１０４において、見返し１１２用の圧着シートと、並製本用表紙４０４用の圧着シートとを貼り合せることにより形成される。
【００４１】
本例において、並製本用表紙４０４用の圧着シートは、台紙４１２の一方の面における全体に、コーティング層４１４を有する。また、並製本用表紙４０４の圧着シートは、台紙４１２の一方の面における、一部の領域６０２を除いた領域に形成された圧着層４１６を有する。そのため、本例の貼合シート５０２は、見返し１１２用の圧着シートと、並製本用表紙４０４用の圧着シートとが圧着されない領域６０２を有する。尚、領域６０２は、例えば、台紙４１２の端における、幅５ｍｍ程度の領域である。
【００４２】
ここで、工程Ｓ１０４において、見返し１１２用の圧着シートの全面と、並製本用表紙４０４用の圧着シートと全面とを圧着することにより貼合シート５０２を形成するとすれば、工程Ｓ１１４において、見返し１１２用の圧着シートから並製本用表紙４０４用の圧着シートを剥離させるのが困難になる場合がある。しかし、本例によれば、圧着されない領域６０２を設けることにより、見返し１１２用の圧着シートから並製本用表紙４０４用の圧着シートを、容易に剥離させることができる。また、これにより、仕上がりのきれいな親本１００を提供することができる。
【００４３】
また、本例において、コーティング層４１４は、圧着層４１６が形成されていない領域６０２にも形成されている。そのため、本例によれば、一部の領域６０２に圧着層４１６を形成しないとしても、並製本用表紙４０４に表面を、自然に仕上げることができる。
【００４４】
尚、コーティング層４１４は、台紙４１２の一方の面における一部の領域に形成されてもよい。この場合、この一部の領域は、少なくとも領域６０２を含むのが好ましい。また、他の例において、見返し１１２用の圧着シートが、圧着層２１６の無い領域を、一部に有してもよい。また、並製本用表紙４０４用の圧着シート、及び見返し１１２用の圧着シートの両方が、圧着層４１６、２１６の無い領域を、それぞれ一部に有してもよい。これらの場合も、見返し１１２用の圧着シートから並製本用表紙４０４用の圧着シートを、容易に剥離させることができる。
【００４５】
図５は、図３を用いて説明した工程Ｓ１０６における、子供本１０６を製本する工程を更に詳しく説明する図である。この工程は、貼合シート５０２における並製本用表紙４０４用の圧着シートに対して、並製本用本文４０６の背を固定する。そして、並製本用表紙４０４用の圧着シートを内側にして、貼合シートで並製本用本文４０６を覆う。これにより、本工程は、並製本用表紙４０４用の圧着シートを、並製本用本文４０６に取り付ける。
【００４６】
図６は、図３を用いて説明した工程Ｓ１０８における、並製本用本文４０６と上製本用本文１０４とを固定する工程を更に詳しく説明する図である。本工程は、並製本用本文４０６の背と、上製本用本文１０４の背とを糊付けにより仮固めする工程である。
【００４７】
本例において、本工程は、上製本用本文１０４の背３０２から、貼合シート５０２の背４０８に渡って接着剤を塗布し、塗布した接着剤により、固定部１１４を形成する。また、塗布された接着剤を、固定部１１４の固定の強度を高めるための仮くるみ表紙５０４で覆う。
【００４８】
これにより、本工程は、上製本用本文１０４の背３０２を貼合シート５０２の背４０８に対して固定する。尚、貼合シート５０２の背４０８とは、例えば、見返し１１２用の圧着シートにおける、並製本用本文４０６の背を覆う部分である。背４０８は、子供本１０６の背４０２となるべき位置の外面であってよい。
【００４９】
本例によれば、貼合シートの外側の面にある見返し１１２用の圧着シートに対して上製本用本文１０４を固定するのと同時に、並製本用本文４０６を、上製本用本文１０４に対して固定することができる。また、これにより、上製本用本文１０４と並製本用本文４０６との仮固めを、適切に行うことができる。そのため、本例によれば、親本１００を効率よく製本することができる。
【００５０】
尚、他の例においては、仮くるみ表紙５０４に代えて、例えば寒冷紗を用いてもよい。また、固定部１１４は、花布を更に有してよい。
【００５１】
図７は、図３を用いて説明した工程Ｓ１１２における、上製本用表紙１０２を取り付ける工程を更に詳しく説明する図である。本工程において、仮くるみ表紙５０４は、固定部１１４を覆う部分８０２を残して、除去される。この場合、仮くるみ表紙５０４における両側の遊びの部分８０４ａ、ｂは、残される部分８０２から引き裂かれる。そして、遊びの部分８０４ａ、ｂを引き裂いた後、貼合シート５０２における上製本用表紙１０２と対向している部分を上製本用表紙１０２に貼り付ける。この場合、貼合シート５０２における見返し１１２用の圧着シートの一部は、見返し１１２のきき紙１１０として、上製本用表紙１０２に貼り付けられる。また、これにより、本工程は、上製本用表紙１０２を、上製本用本文１０４に対して固定する。
【００５２】
尚、本例において、上製本用表紙１０２は、例えば通常の上製本の製本方法と同様に、上製本用表紙１０２に対して、上側から、被せるようにして取り付けられる。この場合、例えば並製本用本文４０６を用いずに、上製本用表紙１０２を取り付けるとすれば、上製本用表紙１０２と上製本用本文１０４との間における隙間の影響で、上製本用表紙１０２を適切に取り付けられない場合も考えられる。
【００５３】
しかし、本例において、貼合シート５０２に覆われた複数の並製本用本文４０６と上製本用本文１０４とを重ねた厚みは、上製本用表紙１０２の背２０２の幅に丁度収まる厚さになっている。そのため、本例によれば、上製本用表紙１０２を、適切に取り付けることができる。また、これにより、親本１００を適切に製本することができる。
【００５４】
図８は、図３を用いて説明した工程Ｓ１１４における、圧着シートを剥がす工程を更に詳しく説明する図である。本工程は、例えば圧着シートが圧着されていない領域６０２（図４参照）を利用して、見返し１１２用の圧着シートから並製本用表紙４０４用の圧着シートを剥離させる。これにより、子供本１０６ａ、ｂを、親本１００から取り外す。本例によれば、親本１００を適切に製本することができる。
【００５５】
図９は、親本１００の構成の他の例を、複数の子供本１０６ａ、ｂと共に示す。尚、以下に説明する点を除き、図９において、図１又は図２と同じ符号を付した構成は、図１又は図２における構成と同一又は同様の機能を有するため説明を省略する。
【００５６】
本例において、見返し１１２は、遊び１０８、きき紙１１０、及び接続部材１１８を有する。遊び１０８は、折り曲げられた一枚のシートであり、複数の遊び紙１２０ａ、ｂ、及び背面部１１６を含む。遊び１０８は、固定部１１４に接着される背面部１１６を中央にして折り曲げられた状態で、固定部１１４に固定されている。この場合、遊び紙１２０ａは、上製本用本文１０４と重なるページとなる。また、遊び紙１２０ｂは、上製本用表紙１０２と遊び１０８ａの間に設けられるページとなる。
【００５７】
また、遊び１０８は、遊び紙１２０ａと遊び紙１２０ｂとの間に子供本１０６を挟むようにして、折り曲げられる。そのため、背面部１１６は、子供本１０６の背の幅とほぼ同じ幅を有する。また、親本１００は、背面部１１６の幅に対応して、遊び１０８ａと遊び１０８ｂとの間に、子供本１０６の背の幅とほぼ同じ隙間を有する。
【００５８】
きき紙１１０は、上製本用表紙１０２に貼り付けられた紙である。また、接続部材１１８は、遊び紙１２０ｂときき紙１１０とを接続する帯状の紙である。接続部材１１８は、きき紙１１０と遊び紙１２０ｂとを接続することにより、固定部１１４に接着された上製本用本文１０４を、上製本用表紙１０２に対して固定する。そのため、本例においても、上製本用表紙１０２の背２０２の幅よりも小さな厚みを有する上製本用本文１０４を、上製本用表紙１０２に、適切に固定することができる。尚、他の例においては、例えば図１を用いて説明した親本１００と同様に、接続部材１１８を用いずに、遊び紙１２０ｂを、きき紙１１０として、上製本用表紙１０２に貼り付けてもよい。
【００５９】
ここで、本例において、遊び１０８は、拡大図７０６に示すように、台紙２１２及びコーティング層２１４を有する。コーティング層２１４は、折り曲げられた遊び１０８の内側の面における全体に形成されている。また、並製本用表紙４０４は、台紙４１２及びコーティング層４１４を有する。コーティング層４１４は、並製本用表紙４０４の外側の面における全体に形成されている。
【００６０】
また、本例の親本１００を製本する製本方法において、子供本１０６は、並製本用本文４０６に並製本用表紙４０４を取り付けることにより、並製本の製本方法で製本される。そして、子供本１０６は、上製本用本文１０４を裁断する前に、複数の遊び紙１２０ａ、ｂの間に、挟まれる。この場合、子供本１０６の背４０２は、背面部１１６に接着される。
【００６１】
そして、重ねられた子供本１０６と上製本用本文１０４とを裁断した後に、予め上製本用表紙１０２に貼り付けられたきき紙１１０と、遊び紙１２０ｂとを接続部材１１８により接続することにより、上製本用表紙１０２を取り付ける。そして、上製本用表紙１０２を取り付けた後、接着された子供本１０６を背面部１１６を剥がすことにより、子供本１０６、親本１００から取り外す。これにより、本例においても、上製本用本文１０４中に他の紙片等を貼り付けるのに適切な、上製本の本を提供することができる。
【００６２】
尚、子供本１０６を背面部１１６に接着するための接着剤は、コーティング層２１４とコーティング層２１４との間に塗布される。そのため、本例によれば、子供本１０６を、親本１００から、適切に取り外すことができる。
【００６３】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００６４】
【図１】閉じた状態の親本１００を、親本１００の天から見た図である。
【図２】一方の見返し１１２を開いた状態の親本１００を示す図である。
【図３】親本１００及び子供本１０６ａ、ｂを製本する製本方法の一例を示すフローチャートである。
【図４】貼合シート５０２の一例を示す図である。
【図５】子供本１０６を製本する工程を更に詳しく説明する図である。
【図６】並製本用本文４０６と上製本用本文１０４とを固定する工程を更に詳しく説明する図である。
【図７】上製本用表紙１０２を取り付ける工程を更に詳しく説明する図である。
【図８】圧着シートを剥がす工程を更に詳しく説明する図である。
【図９】親本１００の構成の他の例を示す図である。
【符号の説明】
【００６５】
１００・・・親本、１０２・・・上製本用表紙、１０４・・・上製本用本文、１０６・・・子供本、１０８・・・遊び、１１０・・・きき紙、１１２・・・見返し、１１４・・・固定部、１１６・・・背面部、１１８・・・接続部材、１２０・・・遊び紙、２０２・・・背、２０４・・・側面、２１２・・・台紙、２１４・・・コーティング層、２１６・・・圧着層、３０２・・・背、４０２・・・背、４０４・・・並製本用表紙、４０６・・・並製本用本文、４０８・・・背、４１２・・・台紙、４１４・・・コーティング層、４１６・・・圧着層、５０２・・・貼合シート、５０４・・・仮くるみ表紙、６０２・・・領域、７０２・・・拡大図、７０４・・・拡大図、７０６・・・拡大図、７０８・・・拡大図、８０２・・・部分、８０４・・・部分
【図１】
2005161725.tif 000003
【図２】
2005161725.tif 000004
【図３】
2005161725.tif 000005
【図４】
2005161725.tif 000006
【図５】
2005161725.tif 000007
【図６】
2005161725.tif 000008
【図７】
2005161725.tif 000009
【図８】
2005161725.tif 000010
【図９】
2005161725.tif 000011